(57)【要約】      （修正有）【課題】  通信波長光の状態と独立に、主伝送路と予備伝送路を同時に監視する。【解決手段】  監視波長光を送信する監視光送信部と、監視波長光と外部伝送装置が送信する通信波長光を合波させる第１の光合分波部と、第１の光合分波部によって合波された光波を２分岐し主伝送路と予備伝送路に送信する光分配部と、伝播したそれぞれの光波を通信波長光と監視波長光とに分波する第２および第３の光合分波部と、分波された監視波長光をそれぞれ光電変換する第１および第２光／電気変換部と、光／電気変換部からの電気信号のレベルを予め設定した断線レベルと比較し主伝送路および予備伝送路の断線／非断線を判定するレベル判定部と、第２および第３の光合分波部によって分波された何れか一方の通信波長光をレベル判定部からの制御信号によって外部伝送装置に導通させる光スイッチ部から成る。【選択図】図２
2005269246.tif 000002
【特許請求の範囲】
【請求項１】
監視波長光を送信する監視光送信部と、前記監視光送信部が送信する監視波長光と外部伝送装置が送信する通信波長光を合波させる第１の光合分波部と、前記第１の光合分波部によって合波された光波を２分岐させ主伝送路と予備伝送路に送信する光分配部と、主伝送路と予備伝送路とを伝播したそれぞれの光波をそれぞれ通信波長光と監視波長光とに分波する第２および第３の光合分波部と、前記第２および第３の光合分波部によって分波された監視波長光をそれぞれ光電変換する第１および第２光／電気変換部と、前記第１および第２の光／電気変換部からの電気信号のレベルを予め設定した断線レベルと比較し主伝送路および予備伝送路の断線／非断線を判定するレベル判定部と、前記第２および第３の光合分波部によって分波された何れか一方の通信波長光を前記レベル判定部からの制御信号によって外部伝送装置に導通させる光スイッチ部から成ることを特徴とする光伝送路監視切替装置。
【請求項２】
前記監視光送信部は、監視波長光を一定周波数で変調させ、前記第１および第２の光／電気変換部は、該周波数を中心とした電気的な狭帯域のバンドパスフィルタを設けた請求項１記載の光伝送路監視切替装置。
【請求項３】
前記監視光送信部が送信する監視波長光の消光比を一定に保つために、レーザダイオード内蔵のフォトダイオードが出力するモニタ電流を変調電流にフィードバックさせる請求項２記載の光伝送路監視切替装置。
【請求項４】
前記監視光送信部は、監視波長として通常通信には使用しない１３７０ｎｍ乃至１４５０ｎｍの波長帯、または１６３０ｎｍ以上の波長帯を使用する請求項１記載の光伝送路監視切替装置。
【請求項５】
前記光スイッチ部は、電源断時に状態を保持するラッチ機能を有する請求項１記載の光伝送路監視切替装置。
【発明の詳細な説明】
【技術分野】
【０００１】
この発明は、主伝送路と予備伝送路を有する冗長構成において、両方の伝送路の損失値を監視し、断線等の障害発生時に光伝送路の切り替えを行う光伝送路監視切替装置に関するものである。
【背景技術】
【０００２】
図１は、特開２００３−２２９８１６号に開示されている従来の光伝送路切替装置である。この従来例は、上りと下りの異なる波長の光信号を１芯の伝送路で双方向伝送する装置であり、光送受信装置１と光送受信装置２は、主伝送路１２と予備伝送路１１の２芯で接続されており、主伝送路１２に断線等の障害発生時に予備伝送路１１に切り替える装置である。光送受信装置１は、入力された電気信号を特定の波長光に変換する光送信器３と、入力された光信号を電気信号に変換する光電気変換器４と、異なる２つの波長の光を合分波する混合器５と、主伝送路１２と予備伝送路１１を切り替える光切替器６から構成されている。対向の光送受信装置２も同様の構成となっている。但し、光送信器３と９の送信波長は、それぞれ異なる。
【０００３】
図１に示したこの特開２００３−２２９８１６号公報の動作は以下である。
光送受信器１において、光送信器３に入力された電気信号は、特定の波長λ１の光に変換される。変換された光信号は、混合器５と光切替器６を経て主伝送路１２へ送信される。対向の光受信器２においても同様に、光送信器９に入力された電気信号は、特定の波長λ２の光に変換され、混合器８と光切替器７を経て、主伝送路１２へ送信される。
主伝送路１２に双方向に送信された光信号λ１（右向き）とλ２（左向き）は、それぞれ光送受信器２と１によって受信される。受信された光信号λ１、λ２は、それぞれ光切替器７、６と混合器８、５を経て光／電気変換器１０、４によって光電変換される。
以上のように、主伝送路１２を通して、１芯の双方向通信が行われる。この時に、主伝送路１２に断線等による伝送路の損失過大障害が発生すると、光／電気変換器１０および４の受信レベルが低下し、予め設定されたレベルに達すると光切替器７および６に予備回線１１に切り替えるための制御信号が伝達され、光切替器７および６は主伝送路１２から予備伝送路１１に切り替わり、正常な通信が再開される。
【特許文献１】特開２００３−２２９８１６号公報
【発明の開示】
【発明が解決しようとする課題】
【０００４】
しかしながら、上記従来例は、伝送路の損失監視に通信波長光を使用しているため、伝送路が正常にも拘わらず通信ポートの障害で通信波長光が途絶したときに予備回線に切り替わってしまう問題、伝送距離向上のため通信波長光を高出力に設定している結果、ＭＴＴＦ（Mean Time To Fairue）が短くなってしまうという問題、任意のメディアコンバータやＷＤＭ（Wavelength Division Multiplexing）伝送装置との相互接続性がない問題があった。
【０００５】
また、通信を行っている伝送路のみを監視しているため、通信を行っていない予備伝送路の状態については知るすべがなく、例えば主伝送路が断線し、予備伝送路に切り替わった後に、主伝送路が復旧しても主伝送路を監視していないために自動的に切り戻しを行うことが出来ないのも問題点であった。
本発明は、上記課題に鑑みてなされたものであり、伝送路監視用の専用ＬＤ（Laser Diode）を搭載し、通信波長光とは別の波長光で主伝送路及び、予備伝送路を監視することで、上記課題を解決することにある。
【課題を解決するための手段】
【０００６】
すなわち、本発明は、監視波長光を送信する監視光送信部と、前記監視光送信部が送信する監視波長光と外部伝送装置が送信する通信波長光を合波させる第１の光合分波部と、前記第１の光合分波部によって合波された光波を２分岐させ主伝送路と予備伝送路に送信する光分配部（以上、監視波長光送信側装置）と、主伝送路と予備伝送路とを伝播したそれぞれの光波をそれぞれ通信波長光と監視波長光とに分波する第２および第３の光合分波部と、前記第２および第３の光合分波部によって分波された監視波長光をそれぞれ光電変換する第１および第２光／電気変換部と、前記第１および第２の光／電気変換部からの電気信号のレベルを予め設定した断線レベルと比較し主伝送路および予備伝送路の断線／非断線を判定するレベル判定部と、前記第２および第３の光合分波部によって分波された何れか一方の通信波長光を前記レベル判定部からの制御信号によって外部伝送装置に導通させる光スイッチ部（以上、監視波長光受信側装置）とから成ることを特徴とする光伝送路監視切替装置である。
【０００７】
そして、本発明においては、前記監視光送信部は、監視波長光を一定周波数で変調させ、前記第１および第２の光／電気変換部は、該周波数を中心とした電気的な狭帯域のバンドパスフィルタを設けたものであること、前記監視光送信部が送信する監視波長光の消光比を一定に保つために、レーザダイオード内蔵のフォトダイオードが出力するモニタ電流を変調電流にフィードバックさせるものであること、前記監視光送信部は、監視波長として通常通信には使用しない１３７０ｎｍ乃至１４５０ｎｍの波長帯、または１６３０ｎｍ以上の波長帯を使用するものであることがこのましく、また、前記光スイッチ部は、電源断時に状態を保持するラッチ機能を有するものであることが好ましい光伝送路監視切替装置である。
【発明の効果】
【０００８】
本発明の光伝送路監視切替装置は、監視用の専用波長を使用しているので、通信波長光の状態とは独立に伝送路を監視することが可能であり、対向に接続される伝送装置の通信方向性も不問であり、監視用のＬＤの出力を低くすることが可能であるので装置としてのＭＴＴＦを大きくすることが可能である。また、主伝送路と予備伝送路を同時に監視しているので、予備伝送路の断線検知や、断線した伝送路が復旧した時に切り戻しを行うことが可能となる。
また、本発明の光伝送路監視切替装置は、監視波長光を一定の周波数で変調させ、受光側で該周波数の狭帯域なバンドパスフィルタを使用しているので、フォトダイオードやプリアンプが発生するノイズを除去することにより、監視波長光を高感度で検出できるので、通常、通信には使用しないファイバ中のＯＨ基の吸収の大きい波長域の波長を監視波長として使用することが可能となり、通信波長数を最大限生かすことが可能となる。
本発明の光伝送路監視切替装置は、変調した監視波長光を送信するＬＤ内蔵のＰＤによるモニタ電流を変調電流にフィードバックしているので、変調された監視波長光の消光比は一定となり、精度の高い伝送路損失値を検出することが可能となる。
本発明の光伝送路監視切替装置は、監視用の波長として、通常、通信に使用しない波長を使用しているので、監視用の波長を通信波長として使用していない伝送装置との相互接続性がある。
【発明を実施するための最良の形態】
【０００９】
以下、本発明の実施の形態について添付の図面を用いて説明する。図２に本発明の光伝送路監視切替装置の機能ブロック図を示し、図３〜図１０に個々の機能ブロックの詳細を示す。
図２において、本光伝送路監視切替装置は、監視波長光送信側装置１４と監視波長光受信側装置１３から構成される。監視波長光送信側装置１４は、監視光送信部１５と光合分波部１６と光分配部１７から構成されている。監視波長光受信側装置１３は、光合分波部１８および１９と光／電気変換部２０および２１とレベル判定部２２と光スイッチ部２３から構成されている。
【００１０】
以下、各機能ブロックについて、構成要素の機能と動作について説明する
監視波長光送信側装置１４の監視光送信部１５は、図８に示すようにＬＤ部４２とＬＤドライバ部４３から構成されており、ＬＤ部４２はＬＤドライバ部４３により一定周波数の正弦変調電流で駆動されている。ＬＤ部４２は、図示していない内蔵されている光出力モニタ用ＰＤ（Photo Diode）の出力であるモニタ電流をＬＤドライバ部４３にフィードバックさせ平均光出力を一定に保っている。
【００１１】
図９は、ＬＤ駆動電流と光出力の関係を説明するための図である。
図９に示しているように、ＬＤの駆動電流は、一定周波数の正弦変調電流であり、その振幅は、下側はＬＤの閾値電流を下回るように変調をかけているのでＬＤから出力される光波形の消光比は略無限大となっている。また、ＬＤ内蔵のＰＤのモニタ電流をＬＤドライバにフィードバックさせＡＰＣ（Auto Power Control）をしているのでＬＤの環境温度の変化や経時劣化によるＬＤの閾値電流の変化や外部微分量子効率の変化によってＬＤの平均出力パワーが変化することはない。
従って、周囲環境温度の変化やＬＤの経時劣化によって消光比が変化することはないので、受光側でこの振幅強度を検出することにより伝送路損失の監視が可能となる。消光比を有限値で一定にする場合は、ＬＤの環境温度によってＬＤのバイアス電流と変調電流を別々のコントロールしなければならないが、上記方法によるとＡＰＣによって変調電流のみをコントロールするだけで消光比を略無限大で一定に保つことが可能となる。
【００１２】
消光比を略無限大としたので波形の立ち上がり時のサイドモード抑圧比が小さくなる。サイドモード抑圧比が小さいとサイドモード成分が大きくなるのでファイバの波長分散の影響による波形の鈍りが懸念されるので、変調周波数を低く設定した。試作では監視波長光の変調周波数は１００ｋＨｚとした。また、監視用ＬＤの光出力は、該ＬＤのＭＴＴＦを十分大きく確保できるよう低出力であることが望ましい。
【００１３】
次に、監視用波長の選定について説明する。
例えば、ＣＷＤＭ（Coarse WDM）用の波長としては、２００２年４月にＩＴＵ−Ｔ（International Telecommunication Union）によって勧告されたＧ．６９４．２では１２７０ｎｍから２０ｎｍピッチで１６１０ｎｍまでの１８波長が標準化されている。この中で通信用に適しているファイバ損失の少ない波長域は出来る限り通信に割り当てたいという意味から、通常、通信には使用しないファイバ中のＯＨ基による吸収の多い１．４μｍ帯を監視用波長として割り当てることが望ましい。作製した試作機では、１４３０ｎｍのＤＦＢＬＤ（Distributed feedback  Laser Diode）を使用したが、本発明に適用可能な監視用波長はこの限りではない。
【００１４】
図２の監視波長光送信側装置１４の光合分波部１６、図２の監視波長光受信側装置１３の光合分波部１８、１９は、図３に示すようなＷＤＭカプラで実現される。
ＷＤＭカプラ２６は、共通ポート２８に対して反射ポート２９と透過ポート２７を具備しており、例えば、図３のように誘電体多層膜フィルタにより特定の波長範囲の光を透過させ、それ以外の波長光を反射させるものである。図４にＷＤＭカプラ２６の共通ポート２８と透過ポート２７間の挿入損失のスペクトルプロファイルを、図５に共通ポート２８と反射ポート２９間の挿入損失のスペクトルプロファイルを示す。図４と図５共に、Ｂ１は透過ポートの波長範囲、Ｂ２は透過ポートの挿入損失、Ｂ３は透過ポートの挿入損失の平坦度、Ｂ４は透過ポートのクロストーク、Ｃ１は反射ポートの波長範囲、Ｃ２は反射ポートの挿入損失、Ｃ３は反射ポートの挿入損失の平坦度、Ｃ４は反射ポートのクロストークを示している。
【００１５】
透過ポートの波長範囲Ｂ１は、伝送路監視用のＬＤのピーク波長の個体バラツキと、環境温度の変化による波長変動を考慮したものとする必要がある。作製した試作機では、監視波長を１４３０ｎｍとしたので１４２４．５〜１４３７．５ｎｍとした。また、透過ポートの挿入損失Ｂ２と平坦度Ｂ３は小さい方が望ましい。透過ポートのクロストークＢ４は、本発明の光伝送路監視切替装置に接続される伝送装置で使用している通信波長光が光／電気変換部２０及び２１に入力され誤動作が生じないよう設計する必要がある。通信波長光反射ポートの波長範囲Ｃ１は、本発明の光伝送路監視切替装置に接続される伝送装置で使用している通信波長をカバーするように設計する必要がある。試作においては、通信波長として広く使用されている波長帯をカバーするように１２６４〜１３８４ｎｍと１４６４〜１６１８ｎｍとした。反射ポートの挿入損失Ｃ２と反射ポートの挿入損失の平坦度Ｃ３は、小さい方が望ましい。反射ポートのクロストークＣ４は、本発明の光伝送路監視切替装置に接続される伝送装置に監視波長光が混入し通信に影響を与えないように設計する必要がある。
【００１６】
監視波長光をＷＤＭカプラで透過で使用している理由を以下で説明する。
誘電体多層膜フィルターは通常、反射ポートクロストークが１０ｄＢ程度で、透過ポートクロストークは５０ｄＢ程度と透過ポートクロストークの方が大きい。監視波長としてファイバの損失が大きい波長を使用する場合、監視波長は、本発明の光伝送路監視切替装置に接続される伝送装置の許容伝送ロス以上の損失を受けることになる。例えば、ＩＴＵ−Ｔ  Ｇ．６９４．２に規定されているＣＷＤＭ波長の中で最もファイバの損失が小さい波長１５５０ｎｍに対して１４３０ｎｍの損失はｄＢ／ｋｍ単位で約１．７倍である。仮に、通信波長光が伝送路によって２５ｄＢの損失を受けるとすると、監視波長光はその１．７倍の４２．５ｄＢの損失を受けることになる。伝送路への送信レベルが、通信波長と監視波長で同じであるとすると、受け側での受信レベル差は、監視波長光に対して通信波長の方が17.5ｄBも高い計算になる。
【００１７】
従って、受信側で監視波長の受信レベルを検出する際に、通信波長光のクロストークを十分にとる必要があるので、ＷＤＭカプラの透過ポートを監視波長に割り当てている。本発明の光伝送路監視切替装置に接続される伝送装置がＷＤＭの場合、通信波長数が多くなりクロストーク量が大きくなるので、後述する監視波長光を受光する光／電気変換部２０、２１のフォトダイオードに上記ＷＤＭカプラで使用している誘電体多層膜フィルターを組み込むことで通信波長光のクロストークをさらに抑える対処が必要である。
【００１８】
以下、光合分波部１６、１８、１９の各ポートの接続構成について説明する。
監視波長光送信側装置１４（図２）において、光合分波部１６のＷＤＭカプラの透過ポート２７は、監視光送信部１５の監視用ＬＤに接続され、反射ポート２９は、本発明の光伝送路監視切替装置と接続される外部伝送装置の光インターフェースに接続され、共通ポート２８は、後述する光分配部１７の入力ポート３２と接続される。
このように接続することで、監視光送信部１５からの監視波長光と本発明の光伝送路監視切替装置に接続される伝送装置から出力される通信波長光が光合分波部１６によって合波され光分配器１７へ出力される。
監視波長光受信側装置１３（図２）において、光合分波部１８、１９のＷＤＭカプラの共通ポート２８は、それぞれ主伝送路２４と予備伝送路２５と接続される。光合分波部１８、１９の透過ポート２７は、それぞれ後述する光／電気変換部２０、２１と接続され、光合分波部１８、１９の反射ポート２９は、それぞれ後述する光スイッチ部の第１の出力ポート３６と第２の出力ポート３７と接続される。
【００１９】
図２の監視波長光送信側装置１４の光分配部１７は、図６に示すように入力ポート３２に対して、第１の出力ポート３３と第２の出力ポート３４を具備しており、入力ポート３２に入力した光パワーは２分の１に分割され第１及び第２の出力ポート３３，３４に出力され、逆に、第１または第２の出力ポート３３，３４から入力された光パワーは、２分の１になり入力ポート３２に出力される機能を有する。このような機能を持った光分配器として、良く知られているファイバ融着型の３ｄＢカプラや、自由空間でハーフミラーにより光波を分割する３ｄＢカプラを使用することが可能である。
光分配部１７の第１の出力ポート３３と第２の出力ポートは、それぞれ主伝送路２４と予備伝送路２５と接続される。この様に接続することにより、光合分波部１６によって合波された監視波長光と、本発明の光伝送路監視切替装置と接続される外部伝送装置の通信波長光が２分岐され、それぞれ主伝送路２４と予備伝送路２５へ送信される。
【００２０】
また、光／電気変換部２０、２１は、図１０に示すように、フォトダイオード４４とプリアンプ４５とバンドパスフィルタ４６とログアンプ４７とＡ／Ｄコンバータ４８から構成されている。フォトダイオード４４に入力された変調光信号は光電変換され、その電気信号は高インピーダンスのプリアンプ４５によって増幅され、監視波長光の変調周波数を中心周波数としたバンドパスフィルタ４６を透過することにより、フォトダイオードが発生す暗電流やプリアンプで発生したノイズが除去される。上記バンドパスフィルタ４６の透過帯域は、ノイズ除去が目的のため、狭帯域であることが望ましい。
バンドパスフィルタ４６を通過した電気信号は、後段のログアンプ４７によってリニアー対数変換が行われ、Ａ／Ｄコンバータ４８によってフォトダイオードの受光パワーレベルがデジタル化される。作製した試作機では、受光パワーレベルをＳＮＭＰ（Simple Network Management Protocol）経由で確認できるようにＡ／Ｄコンバータ４８によってデジタル化しているが、アナログ信号のまま後述するレベル判定部２２で処理することも可能であるので、Ａ／Ｄコンバータ４８は本発明の必須要件ではない。
【００２１】
また、光スイッチ部２３は、図７に示すように入力ポート３６に対して第１の出力ポート３７と第２の出力ポート３８を具備し、外部の電気的制御信号によって入力ポート３６と、第１の出力ポート３７もしくは第２の出力ポート３８との光学的な導通を切り替えるものである。ミラーの切替は電気的制御信号によって行われるが、電源断時に前状態が保持される光スイッチである必要がある。また、光スイッチは、伝送路を切り替えるためのものであるため、そのスイッチングスピードは数１０ｍｓｅｃオーダーであることが要求される。図７では、ミラー型の光スイッチで説明しているが、上記機能を満たす光スイッチであればこの限りではない。
【００２２】
レベル判定部２２は、光／電気変換部２０および２１の受光パワーレベルと予め設定された断線判断レベルと比較することにより、主伝送路２４と予備伝送路２５の正常／断線を判定し、断線と判断した場合に正常側に切替るための制御信号を光スイッチ部２３に送る機能を有する。
【００２３】
以上、詳細に説明した通り本発明の光伝送路監視切替装置は、通信波長とは別の監視波長光を搭載しており、監視波長光は、監視波長光送信側装置１４の光合分波部１６、光分配部１７を経て、同じパワーで主伝送路２４及び、予備伝送路２５に送信され、監視波長光受信側装置１３では、主伝送路２４及び予備伝送路２５からの監視波長光は、それぞれ光合分波部１８、１９を経て、光／電気変換部２０、２１によってその受光パワーが電気信号に変換され、レベル判定部２２によって主伝送路２４および予備伝送路２５からの監視波長光の受光レベルが、予め設定された断線レベルに達しているか否かを判別し、断線／非断線を判別し、断線と判断すると非断線側の伝送路に光スイッチ部が切り替えることが可能となっている。また、断線した伝送路についても常に、監視波長光の受光レベルをモニタリングしているため、伝送路が復旧したことも判断でき、例えば、伝送路の切り戻しを行うことも可能となる。一方、本発明の光伝送路監視切替装置に接続された伝送装置の通信波長は、スイッチ部２３によって選択された伝送路により片方向もしくは双方向の伝送が可能となっている。
また、本発明の光伝送路監視切替装置に接続される伝送装置の通信波長が、光合分波部１６、１８、１９の反射帯域にあれば、片方向通信、双方向通信、ＷＤＭの波長数に拘わらず接続が可能である。
【図面の簡単な説明】
【００２４】
【図１】従来の光伝送路切替装置の機能ブロック図を示す図面である。
【図２】本発明の光伝送路監視切替装置の機能ブロック図を示す図面である。
【図３】本発明の光伝送路監視切替装置の光合分波部の構成を示す図面である
【図４】本発明の光伝送路監視切替装置の光合分波部の透過ポートの挿入損失スペクトルを示す図面である
【図５】本発明の光伝送路監視切替装置の光合分波部の反射ポートの挿入損失スペクトルを示す図面である
【図６】本発明の光伝送路監視切替装置の光分配部の構成を示す図面である
【図７】本発明の光伝送路監視切替装置の光スイッチ部の構成を示す図面である
【図８】本発明の光伝送路監視切替装置の監視光送信部の機能ブロックを示す図面である。
【図９】本発明の光伝送路監視切替装置の監視光送信部の作用を示す図面である
【図１０】本発明の光伝送路監視切替装置の光／電気変換部の機能ブロックを示す図面である
【符号の説明】
【００２５】
１：光送受信装置、  ２：光送受信装置、  ３：光送信器、  ４：光／電気変換器、  ５：混合器、  ６：光切替器、  ７：光切替器、  ８：混合器、  ９：光送信器、  １０：光／電気変換器、  １１：予備伝送路、  １２：主伝送路、  １３：監視波長光受光側装置、  １４：監視波長光送信側装置、  １５：監視光送信部、  １６：光合分波部、  １７：光分配部、  １８：光合分波部、  １９：光合分波部、  ２０：光／電気変換器、  ２１：光／電気変換器、  ２２：レベル判定部、  ２３：光スイッチ部、  ２４：主伝送路、  ２５：予備伝送路、
２６：ＷＤＭカプラ、  ２７：透過ポート、  ２８：共通ポート、  ２９：反射ポート、  ３０：誘電体多層膜フィルタ、
３１：３ｄＢカプラ、  ３２：入力ポート、  ３３：第１の出力ポート、  ３４：第２の出力ポート、
３５：光スイッチ、  ３６：入力ポート、  ３７：第１の出力ポート、  ３８：第２の出力ポート、  ３９：ミラー、  ４０：ミラー、  ４１：ミラー切替動作部、
４２：ＬＤ部、  ４３：ＬＤドライバ部、
４４：フォトダイオード、  ４５：プリアンプ、  ４６：バンドパスフィルタ
４７：ログアンプ、  ４８：Ａ／Ｄコンバータ、
Ｂ１：透過ポートの波長範囲、  Ｂ２：透過ポートの挿入損失、  Ｂ３：透過ポートの挿入損失の平坦度、  Ｂ４：透過ポートのクロストーク、
Ｃ１：反射ポートの波長範囲
Ｃ２：反射ポートの挿入損失、  Ｃ３：反射ポートの挿入損失の平坦度、  Ｃ４：反射ポートのクロストーク
【図１】
2005269246.tif 000003
【図２】
2005269246.tif 000004
【図３】
2005269246.tif 000005
【図４】
2005269246.tif 000006
【図５】
2005269246.tif 000007
【図６】
2005269246.tif 000008
【図７】
2005269246.tif 000009
【図８】
2005269246.tif 000010
【図９】
2005269246.tif 000011
【図１０】
2005269246.tif 000012